(57)【特許請求の範囲】
【請求項１】
本体に対し開閉可能なアッパカバーと、
前記アッパカバーが開状態のとき開閉する内部機構部と、
前記内部機構部を開閉操作する開閉レバーと、
前記アッパカバーの内側に設けた第１の突起を有し、
前記開閉レバーはその先端を前記アッパカバー側に配置し、当該先端には、前記内部機構部がハーフロック状態のとき前記アッパカバーの閉動作があると、前記第１の突起と干渉するとともに、前記内部機構部がロック状態のとき前記アッパカバーの閉動作があると、前記第１の突起と干渉しないようにする帯状部を有することを特徴とする印刷装置。
【請求項２】
前記アッパカバーを回動可能に設け、
前記アッパカバーの回動中心と前記第１の突起の距離より離れた位置に第２の突起を設け、
前記アッパカバーが閉状態のとき、前記第２の突起を検出するセンサを設けたことを特徴とする請求項１記載の印刷装置。
【請求項３】
前記帯状部は、前記開閉レバーの回転中心に対する円周状に形成されていることを特徴とする請求項２記載の印刷装置。
【請求項４】
前記帯状部には、前記第１の突起と干渉しない孔部を設け、前記内部機構部が閉状態のとき前記アッパカバーに設けた前記第１の突起が前記帯状部に設けた孔部に嵌合することを特徴とする請求項２又は３記載の印刷装置。
【請求項５】
前記帯状部に継続して前記第１の突起と干渉する帯状部斜面を設け、
前記内部機構部がハーフロック状態により前記第１の突起と前記帯状部斜面が干渉するとき、前記アッパカバーの更なる閉動作により、前記内部機構部が閉状態になるよう前記開閉レバーを回動させることを特徴とする請求項２又は３記載の印刷装置。
【請求項６】
前記第１の突起には前記帯状部の端部と干渉する傾斜部を設け、
前記内部機構部がハーフロック状態により前記第１の突起の前記傾斜部と前記帯状部の端部が干渉するとき、前記アッパカバーの更なる閉動作により、前記内部機構部が閉状態になるよう前記開閉レバーを回動させることを特徴とする請求項２又は３記載の印刷装置。
【発明の詳細な説明】
【技術分野】
【０００１】
本発明は、紙葉類を搬送し、印字処理する印刷装置に関する。
【背景技術】
【０００２】
従来、銀行等の金融機関の窓口業務において、通帳、証書及び伝票に印字する通帳伝票プリンタが使用されている。これら通帳、証書及び伝票（以下媒体という）を印字処理する印刷装置は、媒体に印字するための印字機構や、媒体を搬送するための媒体搬送路を備える。そして、媒体は紙であることから紙詰まりは避けられず、そのため印字ヘッド周りや媒体搬送路等の内部機構部は、紙詰まりした媒体の取除き作業等のために開閉できる構造になっている。また、清掃作業やインクリボンの交換作業の際にもこれらの内部機構部を開閉して行っている。
【０００３】
このような作業の後、内部機構部を閉じるとき、内部機構部が中途半端にロックされた状態、いわゆる内部機構部のハーフロック状態があると、印字に支障をきたし、媒体が正しく搬送できない等の問題が発生する。また、内部機構部のハーフロック状態では装置のカバーは閉まってしまい、操作者はこれに気付かないという問題も生じる。
【０００４】
そこで、内部機構部の開閉を検出するセンサ又はスイッチを内部機構部に設けることにより、内部機構部が完全に閉まっていないことを検出した場合は、装置を動作させないように制御する技術もあった。
【０００５】
なお、特開２００９−２４８３１６号公報（特許文献１）には、キャリッジカバーの半開き状態をユーザが認識することが可能な記録装置が記載されている。特許文献１によると、キャリッジカバーが半開きのときにプリンタカバーが半開きになるように、キャリッジカバーとプリンタカバーとの間に検出部材を介在させるものである。
【先行技術文献】
【特許文献】
【０００６】
【特許文献１】特開２００９−２４８３１６号公報
【発明の概要】
【発明が解決しようとする課題】
【０００７】
しかしながら、従来の技術によれば、操作者が内部機構部のハーフロック状態に気付いたとき、操作者は再度カバーを開けて内部機構部を閉じ直す等の面倒な作業が必要であった。また、内部機構部の開閉を検出するセンサを設けたとしても、内部機構部のハーフロック状態では内部機構部はほぼ閉まった状態であるため、センサが閉じていると誤検出してしまうおそれがあった。更に、装置のカバーに突起を設けて内部機構部に当接させ、カバーが閉まらないようにしたとしても、突起が内部機構部に当接しないことがあり、確実性がない場合があった。
【０００８】
本発明が解決しようとする課題は、内部機構部のハーフロック状態を誤検出することなく、確実に検出し、装置のカバーを閉じる段階で操作者に内部機構部のハーフロック状態を気付かせることができる印刷装置を提供することにある。
【課題を解決するための手段】
【０００９】
上記課題を解決するために本発明に関する印刷装置は、本体に対し開閉可能なアッパカバーと、前記アッパカバーが開状態のとき開閉する内部機構部と、前記内部機構部を開閉操作する開閉レバーと、前記アッパカバーの内側に設けた第１の突起を有し、前記開閉レバーはその先端を前記アッパカバー側に配置し、当該先端には、前記内部機構部がハーフロック状態のとき前記アッパカバーの閉動作があると、前記第１の突起と干渉するとともに、前記内部機構部がロック状態のとき前記アッパカバーの閉動作があると、前記第１の突起と干渉しないようにする帯状部を有することを特徴とするものである。
【発明の効果】
【００１０】
上記構成を有する本発明によれば、内部機構部を開閉操作する開閉レバーは、その先端をアッパカバー側に配置し、当該先端には内部機構部がハーフロック状態のときアッパカバーの内側に設けた第１の突起と干渉する帯状部を設けたので、広い範囲で第１の突起と干渉することができる。そのため内部機構部のハーフロック状態を誤検出することなく、確実に検出することができる。
【００１１】
また、印刷装置のアッパカバーを閉じる段階で第１の突起と干渉する帯状部の作用により、アッパカバーが閉じないようにすることができるので、操作者に機構部のハーフロック状態を気付かせることができる印刷装置を提供することができる。
【図面の簡単な説明】
【００１２】
【図１】第１の実施の形態に関する通帳伝票プリンタ１００の機構を示す説明図である。
【図２】第１の実施の形態に関する通帳伝票プリンタ１００の外観図である。
【図３】第１の実施の形態に関する通帳伝票プリンタ１００の概略構成図である。
【図４】同じく第１の実施の形態に関する通帳伝票プリンタ１００の機構を示す説明図である。
【図５】第１の実施の形態に関するロックレバー１０の詳細を示す説明図である。
【図６】第１の実施の形態に関するロックレバー１０の斜視図である。
【図７】アッパカバー３とロックレバー１０の関係を示す説明図である。
【図８】同じくアッパカバー３とロックレバー１０の関係を示す説明図である。
【図９】第１の実施の形態の変形例に関するアッパカバー３とロックレバー１０の関係を示す説明図である。
【図１０】第２の実施の形態に関するロックレバー１０を示す説明図である。
【図１１】第２の実施の形態の変形例に関するアッパカバー３の第１の突起３１を示す説明図である。
【発明を実施するための形態】
【００１３】
（第１の実施の形態）
まず本発明の第１の実施の形態に関する通帳伝票プリンタ１００の構成について説明する。図２は、第１の実施の形態に関する通帳伝票プリンタ１００の外観図である。印刷装置としての通帳伝票プリンタ１００の前面には、操作者が媒体を挿入する媒体挿入口排出口２１がある。また、操作者がボタン等を操作する操作部２２は、通帳伝票プリンタ１００の前面に設けられている。更に、通帳伝票プリンタ１００は、装置本体の下半分をカバーする本体カバー２と、図中矢印C方向に開閉可能なアッパカバー３を有する。
【００１４】
図３は、第１の実施の形態に関する通帳伝票プリンタ１００の概略構成図である。媒体挿入口排出口２１は、オペレータによる媒体のセットを受け、セットされた媒体を取り込むとともに、印字処理の終了した媒体を排出する。媒体挿入口排出口２１に続いて媒体搬送路２３が設けられ、媒体搬送路２３には、媒体を挟持して搬送する複数の搬送ローラ対２４が配置されている。内部機構部としての印字部５は媒体挿入口排出口２１の後方に実装される。印字部５は媒体への印字機能、及び印字のための印字済行の検出機能を備える。そのため、印字部５は、印字を行う印字ヘッド８、印字ヘッド８に対向して配置されるプラテン２５、インクリボンカートリッジ９及び図示しない読取り部を有する。読取り部は、媒体としての通帳のページマークや印字済行又は伝票の印字行を読み取る。
【００１５】
操作者が媒体挿入口排出口２１に媒体を挿入すると、図示しない幅寄せローラにより媒体の傾きが補正される。そして通帳伝票プリンタ１００は、搬送ローラ対２４によって、媒体を印字部５へと搬送する。そして、印字ヘッド８は、プラテン２５上に搬送された媒体に対して印字を行う。
【００１６】
図１は第１の実施の形態に関する通帳伝票プリンタ１００の機構を示す説明図である。同図は、本体カバー２とアッパカバー３を省略し、印字部５が閉じた状態を示す。機構部本体４には、前記媒体搬送路２３、搬送ローラ対２４及びプラテン２５等が配置されており、機構部本体４は開閉されることはない。印字部５は、紙面に垂直方向、即ち、媒体搬送方向に対して幅方向に設けられた図示しないキャリッジシャフトが配置されている。当該キャリッジシャフトに沿って移動可能に印字ヘッド８が設けられ、当該印字ヘッド８と一体に移動するインクリボンカートリッジ９が設けられる。媒体搬送方向に対して幅方向全域に前記プラテン２５が設けられ、これにより、印字部５に搬送された媒体に対して印字することができる。
【００１７】
印字部５は、機構部本体４の後方に設けた印字部支点５１に結合されることにより、機構部本体４に開閉可能に支持されている。印字部５は、印字ヘッド８及びインクリボンカートリッジ９等が一緒に開閉される。更に、印字部５を開閉操作するための開閉レバーとしてのロックレバー１０が、印字部５に設けたレバー支点１１を中心に回転可能に支持されている。更にまた、ロックレバー１０の下方にはカム状スリット１２が形成されており、後述するように機構部本体４に設けたポスト４１がカム状スリット１２内を移動可能に設けられる。
【００１８】
図４は同じく第１の実施の形態に関する通帳伝票プリンタ１００の機構を示す説明図である。同図は印字部５が開いた状態を示す。操作者はロックレバー１０の上部を矢印A方向に倒すように操作する。機構部本体４に設けたポスト４１がカム状スリット１２のスリット左端１２ｂ方向に移動する。すると、ポスト４１とレバー支点１１との距離が増加するので、印字部５は印字部支点５１を中心に矢印E方向に回転する。
【００１９】
このように印字部５は開くことができるので、操作者は、紙詰まりした媒体の取除き作業、清掃作業又はインクリボンの交換作業を行うことができる。操作者はこれらの作業の終了後、ロックレバー１０の上部を矢印Aの逆方向に操作し、印字部５を矢印Eの逆方向に戻すことができる。
【００２０】
図５は第１の実施の形態に関するロックレバー１０の詳細を示す説明図であり、図６は第１の実施の形態に関するロックレバー１０の斜視図である。ロックレバー１０は印字部５を開閉操作するためのもので、略L字状になっている。ロックレバー１０の中央にレバー支点１１を有し、印字部５に固定されてレバー支点１１を中心に回転する。ロックレバー１０の上部は取手１３が形成され、下部は前記カム状スリット１２が形成されている。カム状スリット１２に機構部本体４に設けたポスト４１が嵌合している。
【００２１】
カム状スリット１２はスリット右端１２ａと、スリット左端１２ｂを有し、両者はレバー支点１１からの距離Ｄ１〜Ｄ２が徐々に増加するように曲線状に形成されている。詳述すると、レバー支点１１とスリット右端１２ａ間の距離をＤ１とし、レバー支点１１とスリット左端１２ｂ間の距離をＤ２とすると、Ｄ１＜Ｄ２である。従って、図１に示す位置、即ち、印字部５が閉じた位置からロックレバー１０を矢印Ａ方向に倒すと、機構部本体４に設けたポスト４１がカム状スリット１２のスリット右端１２ａからスリット左端１２ｂ方向に移動する。すると、ポスト４１とレバー支点１１との距離が増加するので、印字部５は印字部支点５１を中心に矢印E方向（図４参照）に回転する。即ち、印字部５を開くことができる。
【００２２】
なお、スリット右端１２ａの少し手前ではレバー支点１１との距離が若干短くなるようにカム状スリット１２は小湾曲部１２ｃを形成している。従って、ポスト４１がスリット左端１２ｂからスリット右端１２ａへ移動するとき、小湾曲部１２ｃを越えることにより、スリット右端１２ａに到達するので、スリット右端１２ａは印字部５の閉状態のロック位置とすることができる。これに対し、ポスト４１が小湾曲部１２ｃを越えない位置又は小湾曲部１２ｃ付近の位置で停止しているとき、印字部５はハーフロック状態である。（以下、印字部５のハーフロック状態を作り出しているロックレバー１０の状態を、ロックレバー１０のハーフロック状態という）
【００２３】
ロックレバー１０の上部の取手１３には滑り止めとしての鋸歯状部１３−１があり、更にその上端には帯状部１４が形成されている。帯状部１４は、ロックレバー１０がハーフロック状態のときに、後述するアッパカバー３の内側に設けた第１の突起３１と干渉する。従って、帯状部１４は、ロックレバー１０の上部の取手１３の矢印Ａ及びＢで示す移動方向に伸びた帯状である。換言すると帯状部１４は、ロックレバー１０のレバー支点１１に対して円周状に形成されている。帯状部１４が取手１３の移動方向に伸びた帯状であるため、広い範囲で第１の突起３１と干渉することができる。即ち、印字部５のハーフロック状態を広くカバーすることができる。なお、１５は帯状部１４を補強する板状の補強部材である。
【００２４】
ロックレバー１０がハーフロック状態を過ぎて、更にロックレバー１０を矢印Ｂ方向に回転させると、ポスト４１がロック位置としてのスリット右端１２ａに入り込み、印字部５はロックされる。
【００２５】
図７及び図８はアッパカバー３とロックレバー１０の関係を示す説明図であり、図７はアッパカバー３が閉じた状態を示し、図８はアッパカバー３が未だ完全に閉じていない状態（未閉状態）を示す。アッパカバー３は、本体カバー２（両図には図示していない）の結合部のカバー支点３３を中心に開閉し、アッパカバー３の内側でかつロックレバー１０と対応する位置に第１の突起３１が配置されている。また、カバー支点３３と第１の突起３１の距離より離れた位置に第２の突起３２が配置され、本体カバー２に取り付けられたフォトセンサ７に掛かっている。こうしてフォトセンサ７はアッパカバー３の開閉を検出する。なお、このフォトセンサ７は開閉することのない機構部本体４に取り付けられていてもよい。
【００２６】
図７に示すようなアッパカバー３が閉じた状態は、図１に示すように印字部５が閉じた状態である。この状態は、ポスト４１がロックレバー１０のスリット右端１２ａに入り込み、印字部５はロックされ、ロックレバー１０はほぼ垂直に維持される。この状態で操作者はアッパカバー３を矢印Ｆ方向に回動し、アッパカバー３を閉じると、アッパカバー３の第１の突起３１はロックレバー１０の帯状部１４に隣接する位置に収まることになる。そして、アッパカバー３の第２の突起３２はフォトセンサ７に掛かり、フォトセンサ７はアッパカバー３が閉じたことを電気信号として出力することになる。
【００２７】
図８に示すようなアッパカバー３の未閉状態は、印字部５がハーフロック状態である。この状態は、ポスト４１がロックレバー１０のスリット右端１２ａに未だ入り込まず、印字部５はロックされていない。そのためロックレバー１０は垂直より少し左（後方）に傾いている。この状態で操作者はアッパカバー３を矢印Ｆ方向に回動し、アッパカバー３を閉じようとすると、アッパカバー３の第１の突起３１はロックレバー１０の帯状部１４に干渉されて、アッパカバー３は未閉状態となる。そして、アッパカバー３の第２の突起３２はフォトセンサ７に掛からず、フォトセンサ７はアッパカバー３が閉じていないことを電気信号として出力することになる。
【００２８】
次に、第１の実施の形態に関する通帳伝票プリンタ１００の動作について説明する。紙詰まりした媒体の取除き作業又はインクリボンの交換作業を行う場合、操作者はまず、アッパカバー３を開く。次にロックレバー１０の取手１３に手を掛け、矢印Ａの方向に回動させる。ロックレバー１０はレバー支点１１を中心に回動するので、ポスト４１はカム状スリット１２内を移動する。こうして印字部５は開くことになる。
【００２９】
操作者が詰まった媒体を除去する作業、又はインクリボンの交換作業を行った後は、ロックレバー１０の取手１３を持って矢印Ｂ方向に回動させる。すると、逆に印字部５は閉じていく。このときカム状スリット１２のスリット右端１２ａとポスト４１を合わせず、図８に示すようにその手前で停止させた場合、即ち、印字部５のハーフロック状態とさせた場合は、取手１３も垂直より少し後方に傾いた状態になる。
【００３０】
この状態でアッパカバー３を閉めようとすると、第１の突起３１が取手１３の帯状部１４と干渉し、アッパカバー３を閉めることができないことになる。またアッパカバー３が完全に閉まっていないため、開き側は浮いており、第２の突起３２はフォトセンサ７に検出されないことになる。
【００３１】
このため後に通帳伝票プリンタ１００で印字処理を動作させようとしても、装置は動作しない。フォトセンサ７の位置はカバー支点３３から遠い位置にあるので開き量は大きくなるため、第２の突起３２の少しの干渉でも検出しやすい。
【００３２】
なお、仮にロックレバー１０を更に手前で停止させたとしてもロックレバー１０の取手１３は帯状部１４が形成されているので、アッパカバー３の第１の突起３１と干渉し、アッパカバー３は未閉状態とすることができる。更にもっと手前でロックレバー１０を停止させた場合は、第１の突起３１と帯状部１４は干渉しないが、印字部５が大きく開いている状態なのでアッパカバー３は印字部５自身に干渉して閉まらないことになる。
【００３３】
以上、詳細に説明したように第１の実施の形態によれば、ロックレバー１０にアッパカバー３の第１の突起３１と干渉する帯状部１４を設け、印字部５がハーフロック状態となった場合、アッパカバー３を閉まらないようにしたので、操作者にハーフロック状態を知らせることができる。また、仮に操作者が気付かない場合でも、フォトセンサ７によりアッパカバー３が閉まっていないことを検出できているため、通帳伝票プリンタ１００は動作せず、不具合を誘発させることはない。
【００３４】
また、ロックレバー１０がアッパカバー３と干渉する帯状部１４は、ロックレバー１０の回動方向に伸びた帯状になっているため、広い範囲で第１の突起３１と干渉することができ、広い範囲のハーフロック状態でアッパカバー３が閉じないようにすることができるとともに、確実に印字部５のハーフロック状態を検出することができる。
【００３５】
（第１の実施の形態の変形例）
第１の実施の形態では、図７に示すように印字部５が閉じた状態では、アッパカバー３を閉じると、第１の突起３１はロックレバー１０の帯状部１４に隣接して収まることになる。本実施の形態はこれに限らず、ロックレバー１０の帯状部１４の途中に第１の突起３１と干渉しない孔部１６を設け、この孔部１６に第１の突起３１が収まるようにしてもよい。
【００３６】
図９は第１の実施の形態の変形例に関するアッパカバー３とロックレバー１０の関係を示す説明図である。同図は印字部５が閉じた状態を示す。この状態は、ポスト４１がロックレバー１０のスリット右端１２ａに入り込み、印字部５はロックされ、ロックレバー１０はほぼ垂直に維持される。この状態で操作者はアッパカバー３を矢印Ｆ方向に回動し、アッパカバー３を閉じるとすると、アッパカバー３の第１の突起３１はロックレバー１０の帯状部１４の途中に第１の突起３１と干渉しないように設けた孔部１６に収まることになる。ここで、孔部１６は第１の突起３１が収まるのに十分な直径を有するものである。
【００３７】
そして、アッパカバー３の第２の突起３２はフォトセンサ７に掛かり、フォトセンサ７はアッパカバー３が閉じたことを電気信号として出力することになる。このように構成しても第１の実施の形態と同様の効果が得られる。
【００３８】
（第２の実施の形態）
次に、第２の実施の形態に関する通帳伝票プリンタ１００について説明する。本実施の形態は、前記第１の実施の形態のように印字部５がハーフロック状態の場合、アッパカバー３を閉まらないようにするとともに、その後、アッパカバー３に対し更に閉じる方向に力を加えることにより、印字部５が閉状態になるようにロックレバー１０を回動させるものである。そのためアッパカバー３の第１の突起３１と干渉する帯状部１４に継続して帯状部斜面１７を設け、第１の突起３１と帯状部斜面１７とを係合させるように構成したものである。
【００３９】
第２の実施の形態に関する通帳伝票プリンタ１００の構成については、第１の実施の形態と同様であるので、説明を省略する。第１の実施の形態と異なる点は、ロックレバー１０の形状である。
【００４０】
図１０は第２の実施の形態に関するロックレバー１０を示す説明図である。ロックレバー１０は印字部５を開閉操作するためのもので、略L字状になっている。ロックレバー１０の中央にレバー支点１１を有し、印字部５に固定されてレバー支点１１を中心に回転する。ロックレバー１０の上部は取手１３が形成され、下部はカム状スリット１２が形成されている。カム状スリット１２に機構部本体４に設けたポスト４１が嵌合している。
【００４１】
カム状スリット１２はスリット右端１２ａと、スリット左端１２ｂを有し、両者はレバー支点１１からの距離Ｄ１〜Ｄ２が徐々に増加するように曲線状に形成されている。詳述すると、レバー支点１１とスリット右端１２ａ間の距離をＤ１とし、レバー支点１１とスリット左端１２ｂ間の距離をＤ２とすると、Ｄ１＜Ｄ２である。従って、図１に示す位置、即ち、印字部５が閉じた位置からロックレバー１０を矢印Ａ方向に倒すと、機構部本体４に設けたポスト４１がカム状スリット１２のスリット右端１２ａからスリット左端１２ｂ方向に移動する。すると、ポスト４１とレバー支点１１との距離が増加するので、印字部５は印字部支点５１を中心に矢印E方向（図４参照）に回転する。即ち、印字部５を開くことができる。
【００４２】
なお、スリット右端１２ａの少し手前ではレバー支点１１との距離が若干短くなるようにスリット１２は小湾曲部１２ｃを形成している。従って、ポスト４１がスリット左端１２ｂからスリット右端１２ａへ移動するとき、小湾曲部１２ｃを越えることにより、スリット右端１２ａに到達するので、スリット右端１２ａはロック位置とすることができる。
【００４３】
ロックレバー１０の上部の取手１３には滑り止めとしての鋸歯状部１３−１があり、更にその上端には帯状部１４が形成されている。帯状部１４は、ロックレバー１０がハーフロック状態のときに、アッパカバー３の内側に設けた第１の突起３１と干渉する。従って、帯状部１４は、ロックレバー１０の上部の取手１３の矢印Ａ及びＢで示す移動方向に伸びた帯状である。帯状部１４が取手１３の移動方向に伸びた帯状であるため、ロックレバー１０の角度が広く第１の突起３１と干渉することができる。即ち、印字部５のハーフロック状態を広くカバーすることができる。
【００４４】
更に、帯状部１４の矢印Ａ方向に継続して、本実施の形態の特徴である帯状部斜面１７が設けられる。帯状部斜面１７はロックレバー１０がハーフロック状態のときに、アッパカバー３の内側に設けた第１の突起３１と干渉する。即ち、この帯状部斜面１７に接する位置にアッパカバー３の第１の突起３１が配置されるようになる。そして、この状態から操作者がアッパカバー３に対し更に閉じる方向に力を加えることにより、印字部５が閉状態になるようにロックレバー１０を矢印Ｂ方向に回動させる構成である。なお、１５は帯状部１４を補強する板状の補強部材である。
【００４５】
ロックレバー１０がハーフロック状態を過ぎて、更にロックレバー１０を矢印Ｂ方向に回転されると、ポスト４１がロック位置としてのスリット右端１２ａに入り込み、印字部５はロックされる。
【００４６】
次に、第２の実施の形態に関する通帳伝票プリンタ１００の動作について説明する。印字部５のハーフロック状態の場合、アッパカバー3が閉まらないようにする動作、及びフォトセンサ７によりアッパカバー３が閉じていないことを検出する動作に関しては、第１の実施の形態と同等であるので説明を省略する。
【００４７】
本実施の形態の動作としては、まずロックレバー１０を完全にロックさせる少し手前で停止したとする。その状態でアッパカバー３を閉じたときに、第１の突起３１がロックレバー１０の帯状部斜面１７に接触する。アッパカバー３は帯状部斜面１７に干渉して完全に閉まらないため、このことにより操作者にアッパカバー３が閉まらないことを知らせることができる。
【００４８】
そして、このとき操作者がアッパカバー３を完全に閉まるまで矢印Ｆ方向に更なる閉動作を行う。すると第１の突起３１がロックレバー１０の帯状部斜面１７を押して、ロックレバー１０は矢印Ｂ方向に回動する。これによりロックレバー１０は完全にロックする位置にセットされ、印字部５は閉状態になる。
【００４９】
以上、説明したように第２の実施の形態によれば、第１の実施の形態と同様の効果が得られるとともに、印字部５がハーフロック状態の場合、再度アッパカバー３を開くことなく印字部５を閉状態にすることができ、面倒な操作を省略できる効果もある。
【００５０】
（第２の実施の形態の変形例）
本実施の形態では、ロックレバー１０の帯状部１４に継続して帯状部斜面１７を設けたが、帯状部斜面１７を設ける替わりにアッパカバー３の第１の突起３１のロックレバー１０側に傾斜部３４を設けても同様の効果を有する。図１１は第２の実施の形態の変形例に関するアッパカバー３の第１の突起３１を示す説明図である。第１の突起３１に設けた傾斜部３４は、帯状部１４の端部１４−１と干渉するように構成したものである。
【００５１】
本変形例の動作としては、まずロックレバー１０を完全にロックさせる少し手前で停止したとする。その状態でアッパカバー３を閉じたときに第１の突起３１の傾斜部３４がロックレバー１０の帯状部１４の端部１４−１に接触する。アッパカバー３は帯状部１４の端部１４−１に干渉して完全に閉まらないため、このことにより、操作者にアッパカバー３が閉まらないことを知らせることができる。
【００５２】
そして、このとき操作者がアッパカバー３を完全に閉まるまで矢印Ｆ方向に更なる閉動作を行う。すると第１の突起３１の傾斜部３４がロックレバー１０の帯状部１４の端部１４−１を押して、ロックレバー１０は矢印Ｂ方向に回動する。これによりロックレバー１０は完全にロックする位置にセットされ、印字部５は閉状態になる。
【００５３】
なお、本変形例の場合、第１の突起３１の直径は前記第２の実施の形態より大とし、強度を高める必要がある。また、第１の突起３１の傾斜部３４の先端の角度は３０度〜４０度が望ましい。これにより、本変形例によっても第２の実施の形態と同様の効果を得ることができる。
【符号の説明】
【００５４】
２      本体カバー
３      アッパカバー
４      機構部本体
５      印字部
７      フォトセンサ
８      印字ヘッド
９      インクリボンカートリッジ
１０    ロックレバー
１１    レバー支点
１２    カム状スリット
１３    取手
１４    帯状部
１６    孔部
１７    帯状部斜面
３１    第１の突起
３２    第２の突起
３３    カバー支点
３４    傾斜部
４１    ポスト
５１    印字部支点
１００  通帳伝票プリンタ
【図１】
0005884458.tif 000002
【図２】
0005884458.tif 000003
【図３】
0005884458.tif 000004
【図４】
0005884458.tif 000005
【図５】
0005884458.tif 000006
【図６】
0005884458.tif 000007
【図７】
0005884458.tif 000008
【図８】
0005884458.tif 000009
【図９】
0005884458.tif 000010
【図１０】
0005884458.tif 000011
【図１１】
0005884458.tif 000012